(57)【要約】【課題】  横型ブラインドのチルトバー中央部がスラットの荷重で下がることを防止するチルトバーサポート機構であって、ブラインドの外観を損なうおそれのないものを提供する。【解決手段】  チルトバーサポート機構は、ワイヤーの前端及び後端を、それぞれ、トップバーの左右の中央部に穿設した前側及び後側ワイヤー通し孔に上から通してチルトバーの前面及び後面へ回し、ついでチルトバーに穿設した前側及び後側ワイヤー係止孔に下から通して係止し、ワイヤーを介してチルトバーの中央部をトップバーに吊ることを特徴とする。【選択図】      図４
2006097301.tif 000002
【特許請求の範囲】
【請求項１】
トップバーにチルトバーホルダーを固定し、前記チルトバーホルダーにチルトバーの左右端部を少なくとも部分回動自在に軸受けし、前記チルトバーにスラット列を吊り下げる方式の横型ブラインドにおいて、前記トップバーの左右の中央部に前側及び後側ワイヤー通し孔を穿設し、前記チルトバーの前記前側及び後側ワイヤー通し孔直下位置に前側及び後側ワイヤー係止孔を穿設し、ワイヤーの前端を上から前記前側ワイヤー通し孔に通して前記チルトバーの前面へ回し、ついで下から前記前側ワイヤー係止孔に通して係止し、前記ワイヤーの後端を上から前記後側ワイヤー通し孔に通して前記チルトバーの後面へ回し、ついで下から前記後側ワイヤー係止孔に通して係止し、前記ワイヤーを介して前記チルトバーの中央部を前記トップバーに吊ることを特徴としてなる横型ブラインドのチルトバーサポート機構。
【請求項２】
ワイヤーは、前側及び後側ワイヤー通し孔の間に配設されるロールに掛けられ、前記ロールは、トップバー上面に固定されるホルダーに回転自在に支持されることを特徴としてなる請求項１に記載の横型ブラインドのチルトバーサポート機構。
【請求項３】
前側及び後側ワイヤー係止孔は上部内径が下部内径よりも大きい段孔であり、ワイヤーの前端及び後端を前記前側及び後側ワイヤー係止孔にそれぞれ係止する係止具は、ワイヤー通し溝を備え、かしめると、外径が前記上部内径よりも小さく前記下部内径よりも大きくなることを特徴としてなる請求項１又は２に記載の横型ブラインドのチルトバーサポート機構。
【発明の詳細な説明】
【技術分野】
【０００１】
本発明は、横型ブラインドのチルトバーの中央部を支持する機構に関する。
【背景技術】
【０００２】
スラット列をチルトバーに吊り下げる横型ブラインドは、トップバーに固定されるホルダーにチルトバーの左右端部を少なくとも部分回動自在に支持し、チルトバーに掛けた操作紐を引いてスラットを前後に傾斜させる方式である。チルトバーはスラット列の荷重により撓んで中央部が下がり易いため、左右幅が長目のときは、チルトバーの中央部を支持する中間ホルダーがトップバーに付設される。
【０００３】
この横型ブラインドの正面に現れるトップバー、チルトバー、ボトムバーを木製とすると、ブラインドの外観が和風の親しみ易い木調となる。この場合、中間ホルダーを設けてチルトバーの中央部を支持すると、中間ホルダーは比較的大きくて目立つため、ブラインドの外観が損なわれるという問題が起きる。
【特許文献１】米国特許第２７８１８３６号公報
【特許文献２】実公昭４３−１５０７６号公報
【発明の開示】
【発明が解決しようとする課題】
【０００４】
本発明は、上記問題を解決するためになされたものであり、その課題は、横型ブラインドのトップバーに左右端部が軸受けされるチルトバーの中央部の下がりを防止するチルトバーサポート機構であって、ブラインドの外観を損なうおそれのないものを提供することである。
【課題を解決するための手段】
【０００５】
前記課題を達成するため、本発明のチルトバーサポート機構は、トップバーの左右の中央部に前側及び後側ワイヤー通し孔を穿設し、チルトバーの前側及び後側ワイヤー通し孔直下位置に前側及び後側ワイヤー係止孔を穿設し、ワイヤーの前端を上から前側ワイヤー通し孔に通してチルトバーの前面へ回し、ついで下から前側ワイヤー係止孔に通して係止し、ワイヤーの後端を上から後側ワイヤー通し孔に通してチルトバーの後面へ回し、ついで下から後側ワイヤー係止孔に通して係止し、ワイヤーを介してチルトバーの中央部を前記トップバーに吊ることを特徴とする。
【発明の効果】
【０００６】
本発明のチルトバーサポート機構は、トップバーの左右の中央部において、ワイヤーの前端を上から前側ワイヤー通し孔に通してチルトバーの前面へ回し、ついで下から前側ワイヤー係止孔に通して係止し、ワイヤーの後端を上から後側ワイヤー通し孔に通してチルトバーの後面へ回し、ついで下から後側ワイヤー係止孔に通して係止し、ワイヤーを介してチルトバーの中央部をトップバーに吊るから、横型ブラインドの正面にはトップバーの下面からチルトバーの前面へ回るワイヤーが露出する。しかし、露出するワイヤーは、全体に対しては極めて微少であるから、ブラインドの外観を損なうおそれは全くない。
【発明を実施するための最良の形態】
【０００７】
ワイヤーは、前側及び後側ワイヤー通し孔の間に配設されるロールに掛けて摺動を円滑にすることが好ましい。このロールは、トップバーに固定されるホルダーに左右端部を回転自在に軸受けする。前側及び後側ワイヤー係止孔は上部内径が下部内径よりも大きい段孔とし、その段孔にワイヤーの前端及び後端を係止する係止具は、ワイヤー通し溝を備え、かしめると、外径が上部内径よりも小さく下部内径よりも大きくなるボール等であることが好ましい。
【実施例】
【０００８】
本発明を図面に示す実施例に基づいて説明する。図１は本発明機構の実施例を備える横型ブラインドの正面図、図２は図１のトップバーの要部を示す平面図、図３は図２のロールの取付を示す分解斜視図、図４は図２のＩＶ−ＩＶ線矢視図である。
【０００９】
図１に示すブラインドは、正面に現れるトップバー１とチルトバー２とボトムバー３が木製であるから、外観は和風の親しみ易い木調である。
【００１０】
チルトバー２の左右と中央にラダーテープ４の上端部が止着され、ラダーテープ４は上下に整列するスラット５を支持する。３本のラダーテープ４と左右２本の昇降コード６の下端部はそれぞれボトムバー３に止着され、左右の昇降コード６はスラット列、チルトバー２，トップバー１を順次貫通する。昇降コード６は、ついで、トップバー１の上面を左右方向に一端部へ進み、そこからコードロック７を介してトップバー１の下面から垂下し、つまみ８に結束する。つまみ８を引くと、ボトムバー３が上昇し、放すと、ボトムバー３はそこで停止し、少し引いてはなすと、ボトムバー３は自重で降下する。
【００１１】
チルトバー２は左右端部が、トップバー１に固定されるチルトバーホルダー９に部分回動自在に支持され、一端部には操作コード１０が掛けられる。操作コード１０の前側のつまみ１１を引くと、チルトバー２は前面が下がり後面が上がるから、全スラット５は前傾し、後側のつまみ１２を引くと、チルトバー２は前面が上がり後面が下がるから、全スラット５は後傾する。チルトバー２の中央部がスラット列の荷重により下がることを防止するため、チルトバーサポート機構は、トップバー１の中央部からワイヤー１３をチルトバー２の中央部に掛けて吊る。
【００１２】
図２及び図３に示すように、樋状のトップバー１の中央部上面に円形座１４が設けられ、そこに前側及び後側ワイヤー通し孔１５、１６が穿設される。前側及び後側ワイヤー通し孔１５、１６の間にロール１７が配置され、そのロール１７の左右端部はトップバー１に止めネジを介して固定されるホルダー１８に回転自在に軸受けされる。ワイヤー１３の前側及び後側ワイヤー通し孔１５、１６の間の部分はロール１７の上面に掛けられる。
【００１３】
図４に示すように、トップバー１の前側及び後側ワイヤー通し孔１５、１６直下において、チルトバー２にの前側及び後側ワイヤー係止孔１９、２０が穿設されている。前側及び後側ワイヤー係止孔１９、２０は上部内径が下部内径よりも大きい段孔である。ロール１７に掛けたワイヤー１３の前端２１は上から前側通し孔１５に通してチルトバー２の前面へ回し、ついで下から前側ワイヤー係止孔１９に通して係止する。ワイヤー１３の後端２２は上から後側通し孔１６に通してチルトバー２の後面へ回し、ついで下から後側ワイヤー係止孔２０に通して係止する。チルトバー２の中央部はワイヤー１３を介してトップバー１に吊り上げ支持する。
【００１４】
段孔の前側及び後側ワイヤー係止孔１９、２０にワイヤー１３の前端２１及び後端２２を係止する係止具２３は、ワイヤー通し溝を備え、かしめると、外径が上部内径よりも小さく下部内径よりも大きくなるボール状である。
【００１５】
図１のつまみ１１又は１２を操作してスラット５を傾斜させると、チルトバー２は前面が下がり後面が上がるか、又は、前面が上がり後面が下がる。このとき、ワイヤー１３の前側の下降又は上昇する長さは、後側の上昇又は下降する長さと同じであるから、チルトバー２の軸心位置は一定であり上下することはない。
【００１６】
実施例のチルトバーサポート機構を備える横型ブラインドは、ワイヤー１３のトップバー下面からチルトバー前面を回る部分が正面に露出する。この正面に露出するワイヤーは、ブラインドの全正面にしめる割合が極めて微少であるから、全く目立たない。したがって、チルトバーサポート機構が、和風の親しみ易い木調ブラインドの外観を損なうおそれは全くない。
【図面の簡単な説明】
【００１７】
【図１】本発明機構の実施例を備える横型ブラインドの正断面図、
【図２】図１のトップバーの要部を示す平面図、
【図３】図２のロールの取付を示す斜視図、
【図４】図２のＩＶ−ＩＶ線矢視図。
【符号の説明】
【００１８】
１：トップバー
２：チルトバー
３：ボトムバー
４：ラダーテープ
５：スラット
６：昇降コード
７：コードロック
８：つまみ
９：チルトバーホルダー
１０：操作コード
１１、１２：つまみ
１３：ワイヤー
１４：円形座
１５：前側ワイヤー通し孔
１６：後側ワイヤー通し孔
１７：ロール
１８：ホルダー
１９：前側ワイヤー係止孔
２０：後側ワイヤー係止孔
２１：前端
２２：後端
２３：係止具
【図１】
2006097301.tif 000003
【図２】
2006097301.tif 000004
【図３】
2006097301.tif 000005
【図４】
2006097301.tif 000006